(57)【特許請求の範囲】
【請求項１】
プロセッサとメモリとを含むコンピュータによって実装され、ユーザの信用スコアのための最適化方法であって、
複数のソーシャルユーザセット中のユーザの初期信用スコアを取得するステップであって、前記ユーザは、ソーシャルネットワーク上のユーザであり、前記複数のソーシャルユーザセットは、前記ソーシャルネットワーク上のユーザセットである、ステップと、
前記複数のソーシャルユーザセット中の前記ユーザの前記初期信用スコアに従って、前記複数のソーシャルユーザセットの初期信用スコアを計算するステップであって、ソーシャルユーザセットの初期信用スコアは、前記ソーシャルユーザセット中のユーザの初期信用スコアに従って計算される、ステップと、
各2つのソーシャルユーザセット中の前記ユーザ間のソーシャル関係に従って、前記各2つのソーシャルユーザセット間の数量化されたソーシャル関係を決定するステップであって、前記各2つのソーシャルユーザセットの他のソーシャルユーザセットのユーザとソーシャル関係を有する各2つのソーシャルユーザセットの1つのソーシャルユーザセットのユーザ数を決定するステップと、前記1つのソーシャルユーザセットの決定されたユーザ数に従って、前記各2つのソーシャルユーザセット間の数量化されたソーシャル関係を決定するステップとを含む、ステップと、
ターゲットソーシャルユーザセットの信用スコアを、前記ターゲットソーシャルユーザセットとソーシャル関係を有する少なくとも1つのソーシャルユーザセットの信用スコア、および前記少なくとも1つのソーシャルユーザセットと前記ターゲットソーシャルユーザセットとの間の数量化されたソーシャル関係に従って最適化および調整するステップと、
前記ターゲットソーシャルユーザセットの前記最適化および調整された信用スコアに従って、前記ターゲットソーシャルユーザセット中のユーザの信用スコアを訂正するステップと
を含む、方法。
【請求項２】
前記ターゲットソーシャルユーザセットの前記最適化および調整された信用スコアに従って、前記ターゲットソーシャルユーザセット中のユーザの信用スコアを前記訂正した後に、
前記ターゲットソーシャルユーザセット中のターゲットユーザの信用スコアを、前記ターゲットソーシャルユーザセット中の前記ターゲットユーザとソーシャル関係を有するユーザの信用スコアに従って最適化および調整するステップ
をさらに含む、請求項1に記載のユーザの信用スコアのための最適化方法。
【請求項３】
前記ターゲットソーシャルユーザセットの信用スコアを、前記ターゲットソーシャルユーザセットとソーシャル関係を有する少なくとも1つのソーシャルユーザセットの信用スコア、および前記少なくとも1つのソーシャルユーザセットと前記ターゲットソーシャルユーザセットとの間の数量化されたソーシャル関係に従って前記最適化および調整するステップが、
前記各ソーシャルユーザセットと前記ターゲットソーシャルユーザセットとの間の数量化されたソーシャル関係に従って、前記少なくとも1つのソーシャルユーザセットの各ソーシャルユーザセットと前記ターゲットソーシャルユーザセットとの間のソーシャル重みを決定し、前記ターゲットソーシャルユーザセットの前記信用スコアを、前記少なくとも1つのソーシャルユーザセットと前記ターゲットソーシャルユーザセットとの間の前記ソーシャル重み、および前記対応するソーシャルユーザセットの前記信用スコアに従って最適化および調整するステップ
を含む、請求項1に記載のユーザの信用スコアのための最適化方法。
【請求項４】
前記ソーシャルユーザセットと前記ターゲットソーシャルユーザセットとの前記ソーシャル関係に従って、各ソーシャルユーザセットと前記ターゲットソーシャルユーザセットとの間のソーシャル重みを前記決定するステップが、
前記ソーシャルユーザセットにソーシャル関連ユーザを各々有するユーザと、前記ターゲットソーシャルユーザセット中の前記ユーザの比に従って、各ソーシャルユーザセットと前記ターゲットソーシャルユーザセットとの間の前記ソーシャル重みを決定するステップ
を含む、請求項3に記載のユーザの信用スコアのための最適化方法。
【請求項５】
前記ターゲットソーシャルユーザセットの前記信用スコアを、前記少なくとも1つのソーシャルユーザセットと前記ターゲットソーシャルユーザセットとの間の前記ソーシャル重み、および前記対応するソーシャルユーザセットの前記信用スコアに従って前記最適化および調整するステップが、
前記ソーシャルユーザセットの前記信用スコアを最適化および反復し、各反復において、前記複数のソーシャルユーザセットの各々を前記ターゲットソーシャルユーザセットとして別個に使用し、前記少なくとも1つのソーシャルユーザセットと前記ターゲットソーシャルユーザセットとの間の前記ソーシャル重み、および前記対応するソーシャルユーザセットの前記信用スコアに従って、前記ターゲットソーシャルユーザセットの前記信用スコアを最適化および調整し、前記ソーシャルユーザセットの取得された信用スコアが最適化および調整によって取得された前記信用スコアとなるように、この反復における前記複数のソーシャルユーザセットの各々の前記信用スコアと前の反復における前記ソーシャルユーザセットの信用スコアとの差が第1のプリセット値未満となった後、前記反復を停止するステップ
を含む、請求項3に記載のユーザの信用スコアのための最適化方法。
【請求項６】
前記ソーシャルユーザセットの信用スコアを前記最適化および反復し、各反復において、前記複数のソーシャルユーザセットの各々を前記ターゲットソーシャルユーザセットとして別個に使用し、前記少なくとも1つのソーシャルユーザセットと前記ターゲットソーシャルユーザセットとの間の前記ソーシャル重み、および前記対応するソーシャルユーザセットの前記信用スコアに従って、前記ターゲットソーシャルユーザセットの前記信用スコアを最適化および調整するステップが、
以下の公式:
【数１】
0006685541.tif 000030
、ここで
【数２】
0006685541.tif 000031
は、r回目の反復における第iのソーシャルユーザセットの前記信用スコアであり、
【数３】
0006685541.tif 000032
は、(r-1)回目の反復における前記第iのソーシャルユーザセットと前記ソーシャル関係を有するソーシャルユーザセットの前記信用スコアであり、ekiは、前記第iのソーシャルユーザセットと前記ソーシャル関係を有する前記ソーシャルユーザセットと前記第iのソーシャルユーザセットとの間の前記ソーシャル重みであり、
【数４】
0006685541.tif 000033
は、前記第iのソーシャルユーザセットと前記ソーシャル関係を有する各ソーシャルユーザセットの前記信用スコア、および前記対応するソーシャルユーザセットと前記第iのソーシャルユーザセットとの間の前記ソーシャル重みのすべての積の和を表し、αは、プリセットされた減衰係数である
を使用することによって、前記複数のソーシャルユーザセットの各々の前記信用スコアを反復するステップ
を含む、請求項5に記載のユーザの信用スコアのための最適化方法。
【請求項７】
前記ターゲットユーザセット中のターゲットユーザの信用スコアを、前記ターゲットソーシャルユーザセット中の前記ターゲットユーザとソーシャル関係を有するユーザの信用スコアに従って前記最適化および調整するステップが、
前記ターゲットユーザと前記ターゲットソーシャルユーザセット中の前記ユーザとの間の数量化されたソーシャル関係に従って、前記ターゲットソーシャルユーザセット中の前記他のユーザの各々と前記ターゲットユーザとの間のソーシャル重みを決定し、前記ターゲットユーザの前記信用スコアを、前記ターゲットソーシャルユーザセット中の前記他のユーザの各々と前記ターゲットユーザとの間の前記ソーシャル重み、および前記対応するユーザの前記信用スコアに従って最適化および調整するステップ
を含む、請求項2に記載のユーザの信用スコアのための最適化方法。
【請求項８】
前記ターゲットユーザの前記信用スコアを、前記ターゲットソーシャルユーザセット中の前記他のユーザの各々と前記ターゲットユーザとの間の前記ソーシャル重み、および前記対応するユーザの前記信用スコアに従って前記最適化および調整するステップが、
前記ターゲットソーシャルユーザセット中の前記ユーザの前記信用スコアを最適化および反復し、各反復において、前記ターゲットソーシャルユーザセット中の各ソーシャルユーザを前記ターゲットユーザとして別個に使用し、前記ターゲットソーシャルユーザセット中の前記他のユーザの各々と前記ターゲットユーザとの間の前記ソーシャル重み、および前記対応するユーザの前記信用スコアに従って、前記ターゲットユーザの前記信用スコアを最適化および調整し、前記ユーザの取得された信用スコアが最適化および調整によって取得された前記信用スコアとなるように、この反復における前記ターゲットソーシャルユーザセットの各ユーザの前記信用スコアと前の反復における前記ユーザの信用スコアとの差が第2のプリセット値未満となった後、前記反復を停止するステップ
を含む、請求項7に記載のユーザの信用スコアのための最適化方法。
【請求項９】
前記ターゲットソーシャルユーザセット中の前記ユーザの前記信用スコアを前記最適化および反復し、各反復において、前記ターゲットソーシャルユーザセット中の各ユーザを前記ターゲットユーザとして別個に使用し、前記ターゲットソーシャルユーザセット中の前記他のユーザの各々と前記ターゲットユーザとの間の前記ソーシャル重み、および前記対応するユーザの前記信用スコアに従って、前記ターゲットユーザの前記信用スコアを最適化および調整するステップが、
以下の公式:
【数５】
0006685541.tif 000034
、ここで
【数６】
0006685541.tif 000035
は、r回目の反復における第iのユーザの前記信用スコアであり、
【数７】
0006685541.tif 000036
は、(r-1)回目の反復における前記ターゲットソーシャルユーザセット中の前記第iのユーザと前記ソーシャル関係を有するユーザの前記信用スコアであり、wkiは、前記ターゲットソーシャルユーザセット中の前記第iのユーザと前記ソーシャル関係を有する前記ユーザと前記第iのユーザとの間の前記ソーシャル重みであり、
【数８】
0006685541.tif 000037
は、前記ターゲットソーシャルユーザセット中の前記第iのユーザと前記ソーシャル関係を有する各ユーザの前記信用スコア、および前記対応するユーザと前記第iのユーザとの間の前記ソーシャル重みのすべての積の和を表し、λは、プリセットされた減衰係数である
を使用することによって、前記ターゲットソーシャルユーザセット中の各ユーザの前記信用スコアを反復するステップ
を含む、請求項8に記載のユーザの信用スコアのための最適化方法。
【請求項１０】
前記ターゲットソーシャルユーザセットの前記最適化および調整された信用スコアに従って、前記ターゲットソーシャルユーザセット中のユーザの信用スコアを前記訂正するステップが、
前記ターゲットソーシャルユーザセットの前記信用スコアを最適化および調整するための調整値に従って、前記ターゲットソーシャルユーザセット中の前記ユーザの前記信用スコアを訂正するステップ
を含む、請求項1に記載のユーザの信用スコアのための最適化方法。
【請求項１１】
前記ターゲットソーシャルユーザセットの前記信用スコアを最適化および調整するための調整値に従って、前記ターゲットソーシャルユーザセット中の前記ユーザの前記信用スコアを前記訂正するステップが、
以下の公式:
s'j=sj+(Qi-Si)、ここで、Qiは、前記ターゲットソーシャルユーザセットの前記最適化および調整された信用スコアであり、Siは、前記ターゲットソーシャルユーザセットの前記初期信用スコアであり、sjは、前記ターゲットソーシャルユーザセット中の第jのユーザの前記初期信用スコアであり、s'jは、前記ターゲットソーシャルユーザセット中の前記第jのユーザの前記訂正された信用スコアである
を使用することによって、前記ターゲットソーシャルユーザセット中の前記ユーザの前記信用スコアを訂正するステップ
を含む、請求項10に記載のユーザの信用スコアのための最適化方法。
【請求項１２】
前記方法が、
前記対応するユーザの前記信用スコアに従って、ユーザのための製品情報をプッシュするステップ、または
前記対応するユーザの前記信用スコアに従って、ユーザのデータサービスを監視および管理するステップ
をさらに含む、請求項1から11のいずれか一項に記載のユーザの信用スコアのための最適化方法。
【請求項１３】
ユーザの信用スコアのための最適化装置であって、前記装置が、少なくともプロセッサと、メモリとを含み、前記メモリが、ユーザスコア取得モジュールと、セットスコア取得モジュールと、セット関係取得モジュールと、セットスコア最適化モジュールと、ユーザスコア訂正モジュールとを記憶し、前記プロセッサによって実行されるとき、前記プロセッサに請求項1から12のいずれか一項に記載の方法を実行させる、
ユーザの信用スコアのための最適化装置。
【発明の詳細な説明】
【技術分野】
【０００１】
関連出願
本出願は、その全体が参照により組み込まれる、「OPTIMIZATION METHOD AND APPARATUS FOR CREDIT SCORE OF USER」という名称の、2016年6月6日に中国の特許庁に出願された、中国特許出願第201610396866.8号に基づく優先権を主張する。
【０００２】
本出願は、インターネット技術の分野に関し、詳細には、ユーザの信用スコアのための最適化方法および装置に関する。
【背景技術】
【０００３】
近年、インターネット技術が急速に発展するにつれて、人々は、インターネットを使用することによって、ますます多くの様々なデータサービスを処理し、またユーザの信用評価が、インターネット技術の分野で焦点の問題になっている。
【０００４】
既存の技術では、一般的に、ユーザに対しての信用格付け方法において、ユーザの個人情報が収集され、次いで、統計モデルまたは機械学習のいくつかの予測アルゴリズム、たとえば、よく使用されるFICO信用スコアシステムおよびZestfinace信用格付けシステムを使用することによって、ユーザのデフォルトリスクが予測される。既存の信用スコア機構では、ユーザの次元の情報のみが使用される。ユーザの個人情報が、不完全にまたは誤って収集される場合、ユーザに対しての正確な信用格付けを実施することは非常に困難である。
【発明の概要】
【課題を解決するための手段】
【０００５】
この点において、本出願の実施形態は、ユーザの信用スコアの精度を効果的に上げるために、ユーザの信用スコアのための最適化方法および装置を提供する。
【０００６】
上記の技術的問題を解決するために、本出願の一実施形態は、ユーザの信用スコアのための最適化方法を提供し、この方法は、
複数のソーシャルユーザセット中のユーザの初期信用スコアを取得するステップと、
ソーシャルユーザセット中のユーザの初期信用スコアに従って、ソーシャルユーザセットの初期信用スコアを取得するステップと、
各2つのソーシャルユーザセット中のユーザ間のソーシャル関係(social relationship)に従って、各2つのソーシャルユーザセット間のソーシャル関係を決定するステップと、
ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ターゲットソーシャルユーザセットの信用スコアを最適化および調整するステップと、
ターゲットソーシャルユーザセットの最適化および調整された信用スコアに従って、ターゲットソーシャルユーザセット中のユーザの信用スコアを訂正するステップと
を含む。
【０００７】
対応して、本出願の一実施形態は、ユーザの信用スコアのための最適化装置をさらに提供し、装置は、少なくともプロセッサと、メモリとを含み、メモリは、ユーザスコア取得モジュールと、セットスコア取得モジュールと、セット関係取得モジュールと、セットスコア最適化モジュールと、ユーザスコア訂正モジュールとを記憶し、プロセッサによって実行されるとき、プロセッサに上記の方法を実行させる。
【０００８】
本出願の実施形態における、または既存の技術における技術的解決策をより明確に説明するために、以下に、実施形態または既存の技術を説明するために必要である添付の図面について概説する。以下の説明での添付の図面は、本出願の一部の実施形態を示すにすぎず、当業者は創造的な努力なしにこれらの添付の図面から他の図面をさらに導き出し得るのは明らかである。
【図面の簡単な説明】
【０００９】
【図１】本出願の一実施形態による、ユーザの信用スコアのための最適化方法の概略フローチャートである。
【図２】本出願の一実施形態による、ユーザのソーシャル関係の階層化処理の概略図である。
【図３】本出願の一実施形態による、ソーシャルユーザセットの信用スコア上での最適化および反復の実行の概略フローチャートである。
【図４】本出願の別の実施形態による、ユーザの信用スコアのための最適化方法の概略フローチャートである。
【図５】本出願の一実施形態による、ターゲットソーシャルユーザセット中のユーザの信用スコア上での最適化および反復の実行の概略フローチャートである。
【図６】本出願の一実施形態による、ユーザの信用スコアのための最適化装置の概略構造図である。
【図７】本出願の一実施形態による、セットスコア最適化モジュールの概略構造図である。
【図８】本出願の一実施形態による、ユーザスコア最適化モジュールの概略構造図である。
【図９】本出願の一実施形態による、ユーザの信用スコアのための最適化装置のハードウェア構造のブロック図である。
【発明を実施するための形態】
【００１０】
以下に、本出願の実施形態における技術的解決法について、本出願の実施形態における添付の図面を参照しながら明確かつ十分に説明する。説明する実施形態は、本出願の一部の実施形態であり、実施形態の全部ではないことは明らかである。創造的な努力なしに本出願の実施形態に基づいて当業者によって取得される他のすべての実施形態は、本出願の保護範囲内に含まれるものとする。
【００１１】
本出願の実施形態におけるユーザの信用スコアの最適化方法および装置は、パーソナルコンピュータ、ノートブックコンピュータ、スマートフォン、タブレットコンピュータ、または電子リーダーなどのコンピュータシステムで実装される。以下に、本出願の実施形態の実行体としてユーザの信用スコアのための最適化装置を使用することによって説明を行う。
【００１２】
図1は、本出願の一実施形態による、ユーザの信用スコアのための最適化方法の概略フローチャートである。図に示すように、この実施形態では、ユーザの信用スコアのための最適化方法は、以下の手順を含んでもよい。
【００１３】
S101:複数のソーシャルユーザセット中のユーザの初期信用スコアを取得する。
【００１４】
詳細には、複数のソーシャルユーザセット中のユーザの初期信用スコアは、ユーザの信用スコアのための最適化装置にインポートされてもよく、代替的に、ユーザの信用スコアのための最適化装置は、複数のソーシャルユーザセット中のユーザの初期信用スコアを取得するために、ユーザの個人情報を取得し、ユーザの個人情報および特定の予測モデルに従って信用スコアリングを行ってもよく、代替的に、ユーザの信用スコアのための最適化装置は、このアプリケーションを実装することによってユーザの最適化された信用スコアを取得し、複数のソーシャルユーザセット中のユーザの初期信用スコアとして、最適化された信用スコアを使用してもよい。たとえば、現在の信用スコアが最適化されるとき、前の最適化で取得されたユーザの信用スコアが、この最適化では初期信用スコアとして使用されてもよい。ユーザの信用スコアを最適化することは、管理者によって手動でトリガされてもよく、あるいは更新サイクルに従って、または新しいユーザもしくはソーシャルユーザセットを追加するイベントに従って、トリガされてもよい。
【００１５】
一実施形態では、ユーザの初期信用スコアが欠落している場合、ソーシャルフレンド、同僚、および親族であるユーザの信用スコアの平均スコアまたは加重平均スコアが、ユーザの初期信用スコアとして使用されてもよい。加重値は、ユーザとユーザとの間の親密度に従って、またはユーザとユーザとの間で発生するソーシャルイベントの頻度に従って、決定されてもよい。
【００１６】
複数のソーシャルユーザセットは、異なるソーシャルグループに参加しているユーザのセットであってもよい。同じソーシャルグループに参加しているユーザは、そのソーシャルグループに対応するソーシャルユーザセットに属する。代替的に、複数のソーシャルユーザセットは、ユーザの特定の属性、たとえば、ユーザの関心または地理的位置に従って分割を行うことによって取得されてもよい。好ましい実施形態では、ソーシャルユーザセットには、同じユーザが存在しない、すなわち、1ユーザは単に1ソーシャルユーザセットに属する。
【００１７】
S102:ソーシャルユーザセット中のユーザの初期信用スコアに従って、ソーシャルユーザセットの初期信用スコアを取得する。
【００１８】
特定の実装形態では、ソーシャルユーザセット中のユーザの初期信用スコアの平均スコアまたは加重平均スコアが、ソーシャルユーザセットの初期信用スコアとして使用されてもよい。すなわち、
【００１９】
【数１】
0006685541.tif 000002
【００２０】
または
【００２１】
【数２】
0006685541.tif 000003
【００２２】
、
ここで、Siは、ソーシャルユーザセットの初期信用スコアであり、sjは、ソーシャルユーザセット中の第jのユーザの初期信用スコアであり、niは、ソーシャルユーザセット中のユーザの数量であり、ajは、ソーシャルユーザセットの信用スコアのための第jのユーザの加重値である。
【００２３】
各ユーザの加重値が、ユーザとソーシャルユーザセット中のユーザとの間のソーシャル関係に従って決定されてもよい。たとえば、ユーザが、ソーシャルユーザセット(合計6人)に、4人のソーシャルフレンドを有し、加重値は、4/(6-1)=0.8などであってもよい。代替的に、ソーシャルユーザセットの信用スコアに対するユーザの加重値が、ユーザとソーシャルユーザセット中のユーザとの間で発生するソーシャルイベントの頻度に従って決定されてもよい。代替的に、ユーザが属するソーシャルユーザセットの信用スコアに対するユーザの加重値が、上記の2つの方法と組み合わせて一緒に決定されてもよい。
【００２４】
S103:各2つのソーシャルユーザセット中のユーザ間のソーシャル関係に従って、各2つのソーシャルユーザセット間のソーシャル関係を決定する。
【００２５】
本出願のこの実施形態におけるユーザの信用スコアのための最適化装置は、2つのソーシャルユーザセットに別々に属するユーザ間のソーシャル関係に従って、2つのソーシャルユーザセット間のソーシャル関係を決定してもよい。たとえば、第1のソーシャルユーザセットに属する第1のユーザが、第2のソーシャルユーザセットにソーシャルフレンドを有する場合、第1のソーシャルユーザセットと第2のソーシャルユーザセットとの間に、ソーシャル関係が存在する。次いで、2つのソーシャルユーザセット間のソーシャル関係の親密度が、数量化されてもよい。たとえば、2つのソーシャルユーザセット間のソーシャル関係の親密度は、2つのソーシャルユーザセット中にあって、互いのソーシャルフレンドであるユーザの数量(ユーザの数量またはソーシャル関係ペアの数量)に従って数量化されてもよい。親密度は、一貫性があってもよく、すなわち、2つのソーシャルユーザセット間の双方向の親密度が数量化され、または、一貫性がなくてもよく、すなわち、2つのソーシャルユーザセット間の単方向の親密度が数量化されてもよい。たとえば、ソーシャルユーザセット(アソシエーションとも呼ばれる)A、B、C、およびDが、図2に示すユーザ間のソーシャル関係の階層化処理によって取得される。ソーシャルユーザセットA中にあって、ソーシャルユーザセットB中にソーシャルフレンドを有するユーザの数量は決定され、ソーシャルユーザセットB中にソーシャルフレンドを有するユーザの数量を、ソーシャルユーザセットA中のユーザの総数量で割った結果が、ソーシャルユーザセットAの、ソーシャルユーザセットBとのソーシャル親密度となる。反対に、ソーシャルユーザセットA中にソーシャルフレンドを有するユーザの数量を、ソーシャルユーザセットB中のユーザの総数量で割った結果が、ソーシャルユーザセットBの、ソーシャルユーザセットAとのソーシャル親密度となる。ソーシャルユーザセットAとソーシャルユーザセットBとの間の双方向親密度が、ソーシャルユーザセットBの、ソーシャルユーザセットAとのソーシャル親密度と組み合わせて、ソーシャルユーザセットAの、ソーシャルユーザセットBとのソーシャル親密度に従ってさらに計算されてもよい。その後、数量化によって取得される2つのソーシャルユーザセット間のソーシャル関係の親密度に従って、2つのソーシャルユーザセット間のソーシャル重みもまた決定されてもよい。すなわち、ターゲットソーシャルユーザセットの信用スコアが計算されるとき、ターゲットソーシャルユーザセットとソーシャル関係を有する他のソーシャルユーザセットの信用スコアの加重値が考慮される。2つのソーシャルユーザセット間のソーシャル関係がより親密である場合、2つのソーシャルユーザセットの信用スコアが類似する確率はより高い。言い換えれば、ターゲットソーシャルユーザセットの親密なソーシャルユーザセットの信用スコアが、ターゲットソーシャルユーザセットの信用スコアを反映する可能性がある。したがって、ターゲットソーシャルユーザセットの信用スコアが最適化および調整されるとき、親密なソーシャルユーザセットの信用スコアのインパクトファクタ(参照重み)が、より大きい値に設定されるべきである。
【００２６】
図2に示すソーシャル関係の階層化処理では、中間層のアソシエーション間のソーシャル関係が、上位層の元のソーシャル関係におけるユーザのクロスアソシエーション(ソーシャルユーザセット)ソーシャル関係に従って処理を行うことによって取得され、アソシエーション中のユーザ間のソーシャル関係が、下位層のアソシエーション中のユーザのソーシャル関係として保留される。
【００２７】
S104:ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ターゲットソーシャルユーザセットの信用スコアを最適化および調整する。
【００２８】
ステップS103に従って、各2つのソーシャルユーザセット間のソーシャル関係が取得される。ソーシャル関係を有する2つのソーシャルユーザセットは、互いに影響を及ぼす場合がある、またはソーシャル関係を有する2つのソーシャルユーザセットの信用スコアが、互いの参照として使用される場合があると考えられてもよい。したがって、ユーザの信用スコアのための最適化装置は、ユーザの情報が不完全にまたは誤って収集されることによって引き起こされるターゲットソーシャルユーザセットの不正確な信用スコアを効果的に防ぐために、ターゲットソーシャルユーザセットとソーシャル関係を有する他のすべてのソーシャルユーザセットの信用スコアに従ってターゲットソーシャルユーザセットの信用スコアを最適化および調整してもよい。たとえば、ターゲットソーシャルユーザセットとソーシャル関係を有する他のソーシャルユーザセットの信用スコアの平均値を、ターゲットソーシャルユーザセットの最適化および調整された信用スコアとするか、またはターゲットソーシャルユーザセットとソーシャル関係を有する他のソーシャルユーザセットの信用スコアの平均値と、ターゲットソーシャルユーザセットの初期信用スコアとの間の任意の値を、ターゲットソーシャルユーザセットの最適化および調整された信用スコアとする。
【００２９】
次いで、一実施形態では、ユーザの信用スコアのための最適化装置は、ソーシャルユーザセットとターゲットソーシャルユーザセットとの間のソーシャル関係に従って、各ソーシャルユーザセットとターゲットソーシャルユーザセットとの間のソーシャル重みを決定し、少なくとも1つのソーシャルユーザセットとターゲットソーシャルユーザセットとの間のソーシャル重み、および対応するソーシャルユーザセットの信用スコアに従って、ターゲットソーシャルユーザセットの信用スコアを最適化および調整してもよい。すなわち、各ソーシャルユーザセットとターゲットソーシャルユーザセットとの間のソーシャル重みは、ターゲットソーシャルユーザセットと他のソーシャルユーザセットの各々との間にあって、S103を実行することによって数量化される親密度に従って決定され、次いで、ターゲットソーシャルユーザセットの信用スコアは、ターゲットソーシャルユーザセットとソーシャル関係を有する各ソーシャルユーザセットの信用スコア、およびソーシャルユーザセットとターゲットソーシャルユーザセットとの間のソーシャル重みに従って、最適化および調整され、たとえば、
【００３０】
【数３】
0006685541.tif 000004
【００３１】
、ここで、Qiは、ターゲットソーシャルユーザセットの信用スコアであり、Qkは、ターゲットソーシャルユーザセットとソーシャル関係を有する第kのソーシャルユーザセットの信用スコアであり、ekiは、第kのソーシャルユーザセットとターゲットソーシャルユーザセットとの間のソーシャル重みであり、
【００３２】
【数４】
0006685541.tif 000005
【００３３】
は、ターゲットソーシャルユーザセットとソーシャル関係を有する各ソーシャルユーザセットの信用スコア、および対応するソーシャルユーザセットとターゲットソーシャルユーザセットとの間のソーシャル重みの積の和を表す。この実装形態は、特に、新しいターゲットソーシャルユーザセットが追加されると同時に、他のソーシャルユーザセットがすべて最適化および調整される状況に適用可能である。ターゲットソーシャルユーザセットのみが、他のソーシャルユーザセットを再び最適化および調整することなく、別個に最適化および調整される。
【００３４】
ソーシャルユーザセットの各々とターゲットソーシャルユーザセットとの間のソーシャル重みは、ソーシャルユーザセットにソーシャル関連ユーザを有するユーザと、ターゲットソーシャルユーザセット中のすべてのユーザの比に従って取得されてもよい。たとえば、2つのソーシャルユーザセット間のソーシャル関係の親密度が数量化されるS103の同じ方法が、適用される。
【００３５】
別の実施形態では、ユーザの信用スコアのための最適化方法は、ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ソーシャルユーザセットの信用スコアを最適化および反復してもよい。特定の反復手順を図3に示すことができる。
【００３６】
S105:ターゲットソーシャルユーザセットの最適化および調整された信用スコアに従って、ターゲットソーシャルユーザセット中のユーザの信用スコアを訂正する。
【００３７】
詳細には、ユーザの信用スコアのための最適化装置は、ターゲットソーシャルユーザセット中のユーザの信用スコアを、対応するユーザの初期信用スコアとターゲットソーシャルユーザセットの最適化および調整された信用スコアとの間の任意の値に訂正してもよい。たとえば、ターゲットソーシャルユーザセット中のユーザの情報が欠落しているまたは誤っている場合、ユーザの信用スコアのための最適化装置は、ターゲットソーシャルユーザセットの最適化および調整された信用スコアを、ユーザの訂正された信用スコアとして使用してもよい。
【００３８】
一実施形態では、ユーザの信用スコアのための最適化装置は、ターゲットソーシャルユーザセット中のユーザの信用スコアを、ターゲットソーシャルユーザセットの信用スコアを最適化および調整するための調整値に従って訂正してもよい。たとえば、ターゲットソーシャルユーザセット中のユーザの信用スコアは、以下の公式を使用することによって訂正される:
s'j = sj + (Qi - Si)、ここで、Qiは、ターゲットソーシャルユーザセットの最適化および調整された信用スコアであり、Siは、ターゲットソーシャルユーザセットの初期信用スコアであり、sjは、ターゲットソーシャルユーザセット中の第jのユーザの初期信用スコアであり、s'jは、ターゲットソーシャルユーザセット中の第jのユーザの訂正された信用スコアである。
【００３９】
ユーザの信用スコアのための最適化装置は、ターゲットソーシャルユーザセット中のユーザの信用スコアの対応する比を、ターゲットソーシャルユーザセットの信用スコアを最適化および調整するための調整比に従って訂正してもよい。
【００４０】
次いで、一実施形態では、ユーザの信用スコアのための最適化装置は、ユーザのための製品情報を、この実施形態でのステップを実行することによって取得される、対応するユーザの訂正された信用スコアに従ってプッシュする、たとえば、金融製品情報もしくは固定資産管理製品情報をプッシュする、または、ユーザのデータサービスを、対応するユーザの信用スコアに従って監視および管理する、たとえば、対応するユーザのローンサービスに関してリスク管理を実行する、もしくはユーザの流動資金の管理に関して提案を行うことがある。
【００４１】
図3は、本出願の一実施形態による、ソーシャルユーザセットの信用スコアの最適化および反復の概略フローチャートである。図3に示すように、この実装形態での最適化および反復プロセスは、以下のステップを含んでもよい。
【００４２】
S1041:各2つのソーシャルユーザセット間のソーシャル関係に従って、各2つのソーシャルユーザセット間のソーシャル重みを決定する。
【００４３】
各ソーシャルユーザセットとターゲットソーシャルユーザセットとの間のソーシャル重みは、ソーシャルユーザセットにソーシャル関連ユーザを各々有するユーザと、ターゲットソーシャルユーザセット中のユーザの比に従って決定されてもよい。たとえば、ソーシャルユーザセット(アソシエーションとも呼ばれる)A、B、C、およびDが、図2に示すユーザ間のソーシャル関係の階層化処理によって取得される。ソーシャルユーザセットA中にあって、ソーシャルユーザセットB中にソーシャルフレンドを有するユーザの数量は決定され、ソーシャルユーザセットB中にソーシャルフレンドを有するユーザの数量を、ソーシャルユーザセットA中のユーザの総数量で割った結果が、ソーシャルユーザセットAの、ソーシャルユーザセットBとのソーシャル重みとなる。たとえば、ソーシャルユーザセットA中のa1およびa2は、各々、ソーシャルユーザセットB中にソーシャルフレンドを有し、ソーシャルユーザセットA中のユーザの総数量は3であり、したがって、ソーシャルユーザセットAの、ソーシャルユーザセットBとのソーシャル重みは2/3であってもよい。すなわち、ソーシャルユーザセットAの信用スコアが最適化されるとき、ソーシャルユーザセットBの信用スコアのソーシャル重みは2/3である。一方、ソーシャルユーザセットA中にソーシャルフレンドを有するユーザの数量を、ソーシャルユーザセットB中のユーザの総数量で割った結果が、ソーシャルユーザセットBの、ソーシャルユーザセットAとのソーシャル親密度となる。たとえば、ソーシャルユーザセットB中の2人のユーザもまた、各々、ソーシャルユーザセットA中にソーシャルフレンドを有し、ソーシャルユーザセットB中のユーザの総数量は4であり、したがって、ソーシャルユーザセットBの、ソーシャルユーザセットAとのソーシャル重みは2/4=0.5であってもよい。すなわち、ソーシャルユーザセットBの信用スコアが最適化されるとき、ソーシャルユーザセットAの信用スコアのソーシャル重みは0.5である。
【００４４】
S1042:ソーシャルユーザセットの信用スコアを最適化および反復する。
【００４５】
S1043:複数のソーシャルユーザセットの各々をターゲットソーシャルユーザセットとして別個に使用し、少なくとも1つのソーシャルユーザセットとターゲットソーシャルユーザセットとの間のソーシャル重み、および対応するソーシャルユーザセットの信用スコアに従って、ターゲットソーシャルユーザセットの信用スコアを最適化および調整する。
【００４６】
すなわち、各反復において、複数のソーシャルユーザセットの各々の信用スコアは、以下の公式を使用することによって最適化および調整される:
【００４７】
【数５】
0006685541.tif 000006
【００４８】
、ここで
【００４９】
【数６】
0006685541.tif 000007
【００５０】
は、r回目の反復における第iのソーシャルユーザセットの信用スコアであり、
【００５１】
【数７】
0006685541.tif 000008
【００５２】
は、(r-1)回目の反復における第iのソーシャルユーザセットとソーシャル関係を有するソーシャルユーザセットの信用スコアであり、ekiは、第iのソーシャルユーザセットとソーシャル関係を有するソーシャルユーザセットと第iのソーシャルユーザセットとの間のソーシャル重みであり、
【００５３】
【数８】
0006685541.tif 000009
【００５４】
は、第iのソーシャルユーザセットとソーシャル関係を有する各ソーシャルユーザセットの信用スコア、および対応するソーシャルユーザセットと第iのソーシャルユーザセットとの間のソーシャル重みのすべての積の和を表し、αは、プリセットされた減衰係数である。
【００５５】
S1044:この反復における各ソーシャルユーザセットの信用スコアと、前の反復におけるソーシャルユーザセットの信用スコアとの差の絶対値が、第1のプリセット値未満である、すなわち
【００５６】
【数９】
0006685541.tif 000010
【００５７】
かどうかを決定し、公式が満たされると、S1045を実行し、満たされない場合、S1042を実行する、すなわち、次の反復を実行する。
【００５８】
S1045:反復を停止し、反復によって取得された各ソーシャルユーザセットの信用スコアは、最適化および調整によって取得されたソーシャルユーザセットの信用スコアである。
【００５９】
上記の説明は、反復アルゴリズムの一例にすぎないことに留意されたい。本出願でのソーシャルユーザセットの信用スコアを反復するためのアルゴリズムは、このアルゴリズムに限定されると考えられるべきではなく、熱伝導ネットワーク反復アルゴリズムなどの他のアルゴリズムが適用可能であることがある。
【００６０】
この実施形態でのユーザの信用スコアのための最適化装置が、ユーザが属するソーシャルユーザセットの信用スコアを計算し、最適化および調整を行った後、装置は、ソーシャルユーザセットの情報と組み合わせてユーザの信用スコアを最適化するために、最適化および調整によって取得されたソーシャルユーザセットの信用スコアに従ってソーシャルユーザセット中のユーザの信用スコアを訂正する。ユーザの信用スコアの精度を効果的に上げることができるように、ユーザの信用スコアの計算は、もはやユーザの個人情報のみに従うものではない。
【００６１】
図4は、本出願の別の実施形態による、ユーザの信用スコアのための最適化方法の概略フローチャートである。図に示すように、この実施形態では、ユーザの信用スコアのための最適化方法は、以下の手順を含んでもよい。
【００６２】
S201:複数のソーシャルユーザセット中のユーザの初期信用スコアを取得する。
【００６３】
S202:ソーシャルユーザセット中のユーザの初期信用スコアに従って、ソーシャルユーザセットの初期信用スコアを取得する。
【００６４】
S203:各2つのソーシャルユーザセット中のユーザ間のソーシャル関係に従って、各2つのソーシャルユーザセット間のソーシャル関係を決定する。
【００６５】
S204:ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ターゲットソーシャルユーザセットの信用スコアを最適化および調整する。
【００６６】
S205:ターゲットソーシャルユーザセットの最適化および調整された信用スコアに従って、ターゲットソーシャルユーザセット中のユーザの信用スコアを訂正する。
【００６７】
この実施形態でのS201からS205は、前述の実施形態でのS101からS105と同じであり、詳細については再び説明しない。この実施形態と前述の実施形態との違いは、ターゲットソーシャルユーザセット中のユーザの信用スコアが、ターゲットソーシャルユーザセットの最適化および調整された信用スコアに従って訂正された後、ターゲットソーシャルユーザセット中のユーザの信用スコアが、さらに最適化および調整されることである。
【００６８】
S206:ターゲットユーザとターゲットソーシャルユーザセット中の他のユーザの各々との間のソーシャル関係、およびターゲットソーシャルユーザセット中の他のユーザの信用スコアに従って、ターゲットユーザの信用スコアを最適化および調整する。
【００６９】
下位層のアソシエーション中のユーザ間のソーシャル関係が、図2に示すソーシャル関係、たとえば、ソーシャルユーザセットA中のユーザa1、a2、およびa3の間のソーシャル関係の階層化処理によって取得される。一実施形態では、ユーザa1、a2、およびa3をソーシャルユーザセットAに分割する理由が、除外されてもよい。たとえば、ユーザa1、a2、およびa3は、この3人のユーザが参加する同じソーシャルグループに従って、ソーシャルユーザセットAに分割され、ユーザa1、a2、およびa3の間のソーシャル関係が考えられるとき、ユーザa1、a2、およびa3が同じソーシャルグループに参加するという情報が無視されてもよく、ユーザa1、a2、およびa3の間のソーシャル関係は、ファクタに基づいて、たとえば、この3人のユーザ間にソーシャルフレンド関係が確立されるかどうか、この3人のユーザが共通の関心を有するかどうか、この3人のユーザが同時にソーシャルイベントに参加するかどうか、またはこの3人のユーザが同じ地理的位置に位置しているかどうかに基づいて、決定されてもよい。
【００７０】
同じソーシャルユーザセット中の2人のユーザがソーシャル関係を有する場合、ソーシャル関係を有する2人のユーザが互いに影響を及ぼすと考えられてもよく、またはソーシャル関係を有する2人のユーザの信用スコアが、互いの参照として使用されてもよい。したがって、ユーザの信用スコアのための最適化装置は、ターゲットユーザの信用スコアを、同じソーシャルユーザセットに属し、ターゲットユーザとソーシャル関係を有する別のユーザの信用スコアに従って、最適化および調整してもよく、それによって、ユーザの情報が不完全にまたは誤って収集されることによって引き起こされるターゲットユーザの不正確な信用スコアの問題を効果的に防ぐ。たとえば、ターゲットユーザとソーシャル関係を有する他のすべてのユーザの信用スコアの平均値が直接的に、ターゲットユーザの最適化および調整された信用スコアとして使用されるか、または、ターゲットユーザとソーシャル関係を有する他のすべてのユーザの信用スコアの平均値と、ターゲットユーザの初期信用スコアとの間の任意の値が、ターゲットユーザの最適化および調整された信用スコアとして使用される。
【００７１】
次いで、一実施形態では、ユーザの信用スコアのための最適化装置は、ターゲットユーザと、同じソーシャルユーザセット中の他のユーザの各々との間のソーシャル関係に従って、他のユーザとターゲットユーザとの間のソーシャル重みを決定し、次いで、同じソーシャルユーザセットに属する他のユーザの各々とターゲットユーザとの間のソーシャル重み、および対応するユーザの信用スコアに従って、ターゲットユーザの信用スコアを最適化および調整してもよい。ソーシャル重みは、2人のユーザ間のソーシャル関係の親密度を数量化した結果であってもよい。たとえば、2人のユーザ間のソーシャル関係の親密度は、2人のユーザの共通のソーシャルフレンドの数量、2人のユーザが一緒に参加するソーシャルグループ、2人のユーザが一緒に参加するソーシャルイベント、2人のユーザ間で発生するソーシャルイベントの頻度などを計算することによって数量化されて、2人のユーザ間のソーシャル重みを取得する。2人のユーザ間のソーシャル関係がより近い場合、2人のユーザの信用スコアが類似している確率はより高い。言い換えれば、ターゲットユーザの親密なユーザの信用スコアが、ターゲットユーザの信用スコアを反映する可能性がある。したがって、ターゲットユーザの信用スコアが最適化および調整されるとき、ターゲットユーザの親密なユーザの信用スコアのインパクトファクタ(参照重み)が、より大きい値に設定されるべきである。ターゲットソーシャルユーザセットの信用スコアは、ターゲットソーシャルユーザセット中の他のユーザの各々の信用スコア、およびユーザとターゲットユーザとの間のソーシャル重みに従って、最適化および調整され、たとえば、
【００７２】
【数１０】
0006685541.tif 000011
【００７３】
、ここでqiは、ターゲットユーザの信用スコアであり、qkは、ターゲットユーザとソーシャル関係を有する第kのユーザの信用スコアであり、wkiは、第kのユーザとターゲットユーザとの間のソーシャル重みであり、
【００７４】
【数１１】
0006685541.tif 000012
【００７５】
は、ターゲットソーシャルユーザセット中にあって、ターゲットユーザとソーシャル関係を有する各ユーザの信用スコア、および対応するユーザとターゲットユーザとの間のソーシャル重みのすべての積の和を表す。この実装形態は、特に、新しいターゲットユーザがターゲットソーシャルユーザセットに追加されると同時に、他のユーザがすべて最適化および調整される状況に適用可能であって、ターゲットユーザのみが、別個に最適化および調整され、ターゲットソーシャルユーザセット中の他のユーザを再び最適化および調整することはない。
【００７６】
別の実施形態では、ユーザの信用スコアのための最適化装置は、ソーシャルユーザセット中のユーザの信用スコア、およびソーシャルユーザセット中のユーザ間のソーシャル関係に従って、ソーシャルユーザセット中のユーザの信用スコアを最適化および反復し、各反復において、ターゲットソーシャルユーザセット中の各ソーシャルユーザをターゲットユーザとして別個に使用し、ターゲットソーシャルユーザセット中の他のユーザの各々とターゲットユーザとの間のソーシャル重み、および対応するユーザの信用スコアに従って、ターゲットユーザの信用スコアを最適化および調整し、ユーザの取得された信用スコアが最適化および調整によって取得された信用スコアとなるように、この反復におけるターゲットソーシャルユーザセット中の各ユーザの信用スコアと、前の反復におけるユーザの信用スコアとの差が、第2のプリセット値未満であるとき、反復を停止してもよい。特定の反復手順を、図5に示すことができ、以下のステップを含む。
【００７７】
S2061:ターゲットソーシャルユーザセット中の各2人のユーザ間のソーシャル重みを、各2人のユーザ間のソーシャル関係に従って決定する。
【００７８】
同じソーシャルユーザセット中の任意の2人のユーザ間のソーシャル重みが、この2人のユーザ間のソーシャル関係に従って決定されてもよい。ソーシャル重みは、2人のユーザ間のソーシャル関係の親密度を数量化した結果であってもよい。たとえば、2人のユーザ間のソーシャル関係の親密度は、2人のユーザの共通のソーシャルフレンドの数量、2人のユーザが一緒に参加するソーシャルグループ、2人のユーザが一緒に参加するソーシャルイベント、2人のユーザ間で発生するソーシャルイベントの頻度などを計算することによって数量化されて、2人のユーザ間のソーシャル重みを取得する。
【００７９】
S2062:ソーシャルユーザセットの信用スコアを最適化および反復する。
【００８０】
S2063:複数のソーシャルユーザセットの各々をターゲットソーシャルユーザセットとして別個に使用し、少なくとも1つのソーシャルユーザセットとターゲットソーシャルユーザセットとの間のソーシャル重み、および対応するソーシャルユーザセットの信用スコアに従って、ターゲットソーシャルユーザセットの信用スコアを最適化および調整する。
【００８１】
すなわち、各反復において、ターゲットソーシャルユーザセット中の各ユーザの信用スコアは、以下の公式を使用することによって最適化および調整される:
【００８２】
【数１２】
0006685541.tif 000013
【００８３】
、ここで
【００８４】
【数１３】
0006685541.tif 000014
【００８５】
は、r回目の反復における第iのユーザの信用スコアであり、
【００８６】
【数１４】
0006685541.tif 000015
【００８７】
は、(r-1)回目の反復におけるターゲットソーシャルユーザセット中の第iのユーザとソーシャル関係を有するユーザの信用スコアであり、wkiは、ターゲットソーシャルユーザセット中の第iのユーザとソーシャル関係を有するユーザと第iのユーザとの間のソーシャル重みであり、
【００８８】
【数１５】
0006685541.tif 000016
【００８９】
は、ターゲットソーシャルユーザセット中の第iのユーザとソーシャル関係を有する各ユーザの信用スコア、および対応するユーザと第iのユーザとの間のソーシャル重みのすべての積の和を表し、λは、プリセットされた減衰係数である。
【００９０】
S2064:この反復におけるターゲットソーシャルユーザセット中の各ユーザの信用スコアと、前の反復におけるユーザの信用スコアとの差の絶対値が、第1のプリセット値未満である、すなわち
【００９１】
【数１６】
0006685541.tif 000017
【００９２】
かどうかを決定し、公式が満たされると、S2065を実行し、満たされない場合、S2062を実行する、すなわち、次の反復を実行する。
【００９３】
S2065:反復を停止し、反復によって取得された各ソーシャルユーザセットの信用スコアは、最適化および調整によって取得されたソーシャルユーザセットの信用スコアである。
【００９４】
上記の説明は、反復アルゴリズムの一例にすぎないことに留意されたい。本出願でのソーシャルユーザセットの信用スコアを反復するためのアルゴリズムは、このアルゴリズムに限定されると考えられるべきではなく、熱伝導ネットワーク反復アルゴリズムなどの他のアルゴリズムが適用可能であることがある。
【００９５】
次いで、一実施形態では、ユーザの信用スコアのための最適化装置は、ユーザのための製品情報を、この実施形態でのステップを実行することによって取得される、対応するユーザの訂正された信用スコアに従ってプッシュする、たとえば、金融製品情報もしくは固定資産管理製品情報をプッシュする、または、ユーザのデータサービスを、対応するユーザの信用スコアに従って監視および管理する、たとえば、対応するユーザのローンサービスに関してリスク管理を実行する、もしくはユーザの流動資金の管理に関して提案を行うことがある。
【００９６】
この実施形態では、ユーザが属するソーシャルユーザセットの信用スコアを計算し、ソーシャルユーザセット間のソーシャル関係に従ってソーシャルユーザセットの信用スコアを最適化および調整した後、ユーザの信用スコアのための最適化装置は、ソーシャルユーザセットの最適化および調整された信用スコアに従って、ソーシャルユーザセット中のユーザの信用スコアを訂正し、ソーシャルユーザセット中のユーザ間のソーシャル関係に従ってソーシャルユーザセット中のユーザの信用スコアを最適化および調整して、ソーシャルユーザセットの情報を組み合わせてユーザの信用スコアを最適化する。ユーザの信用スコアの精度を効果的に上げることができるように、ユーザの信用スコアの計算は、もはやユーザの個人情報のみに従うものではない。さらに、最適化プロセスは2度行われるが、2つの最適化は、別個に、ソーシャルユーザセット間のソーシャル関係およびソーシャルユーザセット中のユーザ間のソーシャル関係に基づき、実はこれは、大きい計算量とならない。
【００９７】
図6は、本出願の一実施形態による、ユーザの信用スコアのための最適化装置の概略構造図である。図に示すように、この実施形態では、ユーザの信用スコアのための最適化装置は、少なくとも以下のモジュールを含んでもよい。
【００９８】
ユーザスコア取得モジュール610が、複数のソーシャルユーザセット中のユーザの初期信用スコアを取得するように構成される。
【００９９】
詳細には、ユーザスコア取得モジュール610は、インポートされたデータを受信することによって、複数のソーシャルユーザセット中のユーザの初期信用スコアを取得してもよく、代替的に、ユーザスコア取得モジュール610は、複数のソーシャルユーザセット中のユーザの初期信用スコアを取得するために、ユーザの個人情報を取得し、ユーザの個人情報および特定の予測モデルに従って、信用スコアリングを行ってもよく、代替的に、ユーザスコア取得モジュール610は、このアプリケーションを実装することによってユーザの最適化された信用スコアを取得し、複数のソーシャルユーザセット中のユーザの初期信用スコアとして、最適化された信用スコアを使用してもよい。たとえば、現在の信用スコアが最適化されるとき、前の最適化で取得されたユーザの信用スコアが、この最適化では初期信用スコアとして使用されてもよい。ユーザの信用スコアを最適化することは、管理者によって手動でトリガされてもよく、あるいは更新サイクルに従って、または新しいユーザもしくはソーシャルユーザセットを追加するイベントに従って、トリガされてもよい。
【０１００】
一実施形態では、ユーザの初期信用スコアが欠落している場合、ユーザスコア取得モジュール610は、ソーシャルフレンド、同僚、および親族であるユーザの信用スコアの平均スコアまたは加重平均スコアを、ユーザの初期信用スコアとして使用してもよい。加重値は、ユーザとユーザとの間の親密度に従って、またはユーザとユーザとの間で発生するソーシャルイベントの頻度に従って、決定されてもよい。
【０１０１】
複数のソーシャルユーザセットは、異なるソーシャルグループに参加しているユーザのセットであってもよい。同じソーシャルグループに参加しているユーザは、そのソーシャルグループに対応するソーシャルユーザセットに属する。代替的に、複数のソーシャルユーザセットは、ユーザの特定の属性、たとえば、ユーザの関心または地理的位置に従って分割を行うことによって取得されてもよい。好ましい実施形態では、ソーシャルユーザセットには、同じユーザが存在しない、すなわち、ユーザはただ1つのソーシャルユーザセットに属する。
【０１０２】
セットスコア取得モジュール620が、ソーシャルユーザセット中のユーザの初期信用スコアに従って、ソーシャルユーザセットの初期信用スコアを取得するように構成される。
【０１０３】
特定の実装形態では、セットスコア取得モジュール620は、ソーシャルユーザセット中のユーザの初期信用スコアの平均スコアまたは加重平均スコアを、ソーシャルユーザセットの初期信用スコアとして使用してもよい。
【０１０４】
各ユーザの加重値が、ユーザとソーシャルユーザセット中のユーザとの間のソーシャル関係に従って決定されてもよい。たとえば、ユーザが、ソーシャルユーザセット(合計6人)に、4人のソーシャルフレンドを有し、加重値は、4/(6-1)=0.8などであってもよい。代替的に、ソーシャルユーザセットの信用スコアに対するユーザの加重値が、ユーザとソーシャルユーザセット中のユーザとの間で発生するソーシャルイベント(たとえば、セッションメッセージの送信またはビデオセッションの実行)の頻度に従って決定されてもよい。代替的に、ユーザが属するソーシャルユーザセットの信用スコアに対するユーザの加重値が、上記の2つの方法と組み合わせて一緒に決定されてもよい。
【０１０５】
セット関係取得モジュール630が、各2つのソーシャルユーザセット中のユーザ間のソーシャル関係に従って、各2つのソーシャルユーザセット間のソーシャル関係を決定するように構成される。
【０１０６】
セット関係取得モジュール630は、2つのソーシャルユーザセットに別々に属するユーザ間のソーシャル関係に従って、2つのソーシャルユーザセット間のソーシャル関係を決定してもよい。たとえば、第1のソーシャルユーザセットに属する第1のユーザが、第2のソーシャルユーザセットにソーシャルフレンドを有する場合、第1のソーシャルユーザセットと第2のソーシャルユーザセットとの間に、ソーシャル関係が存在する。次いで、セット関係取得モジュール630は、2つのソーシャルユーザセット間のソーシャル関係の親密度をさらに数量化してもよい。たとえば、2つのソーシャルユーザセット間のソーシャル関係の親密度は、2つのソーシャルユーザセット中にあって、互いのソーシャルフレンドであるユーザの数量(ユーザの数量またはソーシャル関係ペアの数量)に従って数量化されてもよい。親密度は、一貫性があってもよく、すなわち、2つのソーシャルユーザセット間の双方向の親密度が数量化され、または、一貫性がなくてもよく、すなわち、2つのソーシャルユーザセット間の単方向の親密度が数量化されてもよい。たとえば、ソーシャルユーザセット(アソシエーションとも呼ばれる)A、B、C、およびDが、図2に示すユーザ間のソーシャル関係の階層化処理によって取得される。ソーシャルユーザセットA中にあって、ソーシャルユーザセットB中にソーシャルフレンドを有するユーザの数量は決定され、ソーシャルユーザセットB中にソーシャルフレンドを有するユーザの数量を、ソーシャルユーザセットA中のユーザの総数量で割った結果が、ソーシャルユーザセットAの、ソーシャルユーザセットBとのソーシャル親密度となる。反対に、ソーシャルユーザセットA中にソーシャルフレンドを有するユーザの数量を、ソーシャルユーザセットB中のユーザの総数量で割った結果が、ソーシャルユーザセットBの、ソーシャルユーザセットAとのソーシャル親密度となる。ソーシャルユーザセットとソーシャルユーザセットBとの間の双方向親密度が、ソーシャルユーザセットBの、ソーシャルユーザセットAとのソーシャル親密度と組み合わせて、ソーシャルユーザセットAの、ソーシャルユーザセットBとのソーシャル親密度に従ってさらに計算されてもよい。その後、数量化によって取得される2つのソーシャルユーザセット間のソーシャル関係の親密度に従って、2つのソーシャルユーザセット間のソーシャル重みもまた決定されてもよい。すなわち、ターゲットソーシャルユーザセットの信用スコアが計算されるとき、ターゲットソーシャルユーザセットとソーシャル関係を有する他のソーシャルユーザセットの信用スコアの加重値が考慮される。2つのソーシャルユーザセット間のソーシャル関係がより親密である場合、2つのソーシャルユーザセットの信用スコアが類似する確率はより高い。言い換えれば、ターゲットソーシャルユーザセットの親密なソーシャルユーザセットの信用スコアが、ターゲットソーシャルユーザセットの信用スコアを反映する可能性がある。したがって、ターゲットソーシャルユーザセットの信用スコアが最適化および調整されるとき、親密なソーシャルユーザセットの信用スコアのインパクトファクタ(参照重み)が、より大きい値に設定されるべきである。
【０１０７】
図2に示すソーシャル関係の階層化処理では、中間層のアソシエーション間のソーシャル関係が、上位層の元のソーシャル関係におけるユーザのクロスアソシエーション(ソーシャルユーザセット)ソーシャル関係に従って処理を行うことによって取得され、アソシエーション中のユーザ間のソーシャル関係が、下位層のアソシエーション中のユーザのソーシャル関係として保留される。
【０１０８】
セットスコア最適化モジュール640が、ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ターゲットソーシャルユーザセットの信用スコアを最適化および調整するように構成される。
【０１０９】
セット関係取得モジュール630によって取得される各2つのソーシャルユーザセット間のソーシャル関係に従って、ソーシャル関係を有する2つのソーシャルユーザセットは、互いに影響を及ぼすと考えられてもよく、またはソーシャル関係を有する2つのソーシャルユーザセットの信用スコアが、互いの参照として使用されてもよい。したがって、セットスコア最適化モジュール640は、ユーザの情報が不完全にまたは誤って収集されることによって引き起こされるターゲットソーシャルユーザセットの不正確な信用スコアを効果的に防ぐために、ターゲットソーシャルユーザセットとソーシャル関係を有する他のすべてのソーシャルユーザセットの信用スコアに従ってターゲットソーシャルユーザセットの信用スコアを最適化および調整してもよい。たとえば、セットスコア最適化モジュール640は、ターゲットソーシャルユーザセットとソーシャル関係を有する他のソーシャルユーザセットの信用スコアの平均値を直接的に、ターゲットソーシャルユーザセットの最適化および調整された信用スコアとして使用するか、または、ターゲットソーシャルユーザセットとソーシャル関係を有する他のソーシャルユーザセットの信用スコアの平均値と、ターゲットソーシャルユーザセットの初期信用スコアとの間の任意の値を、ターゲットソーシャルユーザセットの最適化および調整された信用スコアとして使用してもよい。
【０１１０】
次いで、一実施形態では、図7に示すように、セットスコア最適化モジュール640は、以下のユニットをさらに含む。
【０１１１】
セット重み取得ユニット641が、ソーシャルユーザセットとターゲットソーシャルユーザセットとのソーシャル関係に従って、各ソーシャルユーザセットとターゲットソーシャルユーザセットとの間のソーシャル重みを別個に決定するように構成される。たとえば、各ソーシャルユーザセットとターゲットソーシャルユーザセットとの間のソーシャル重みは、ソーシャルユーザセットにソーシャル関連ユーザを各々有するユーザと、ターゲットソーシャルユーザセット中のユーザの比に従って決定されてもよい。
【０１１２】
セットスコア最適化ユニット642は、少なくとも1つのソーシャルユーザセットとターゲットソーシャルユーザセットとの間のソーシャル重み、および対応するソーシャルユーザセットの信用スコアに従って、ターゲットソーシャルユーザセットの信用スコアを最適化および調整するように構成される。
【０１１３】
すなわち、各ソーシャルユーザセットとターゲットソーシャルユーザセットとの間のソーシャル重みは、ターゲットソーシャルユーザセットと他のソーシャルユーザセットの各々との間にあって、数量化によって取得される親密度に従って決定され、次いで、ターゲットソーシャルユーザセットの信用スコアは、たとえば、ターゲットソーシャルユーザセットとソーシャル関係を有する各ソーシャルユーザセットの信用スコア、およびソーシャルユーザセットとターゲットソーシャルユーザセットとの間のソーシャル重みに従って、最適化および調整される。
【０１１４】
【数１７】
0006685541.tif 000018
【０１１５】
、ここでQiは、ターゲットソーシャルユーザセットの信用スコアであり、Qkは、ターゲットソーシャルユーザセットとソーシャル関係を有する第kのソーシャルユーザセットの信用スコアであり、ekiは、第kのソーシャルユーザセットとターゲットソーシャルユーザセットとの間のソーシャル重みであり、
【０１１６】
【数１８】
0006685541.tif 000019
【０１１７】
は、ターゲットソーシャルユーザセットとソーシャル関係を有する各ソーシャルユーザセットの信用スコア、および対応するソーシャルユーザセットとターゲットソーシャルユーザセットとの間のソーシャル重みの積の和を表す。この実装形態は、特に、新しいターゲットソーシャルユーザセットが追加されると同時に、他のソーシャルユーザセットがすべて最適化および調整される状況に適用可能であって、セットスコア最適化モジュール640は、別個にターゲットソーシャルユーザセットを最適化および調整するだけでよく、他のソーシャルユーザセットを再び最適化および調整することはない。
【０１１８】
別の実施形態では、セットスコア最適化ユニット642は、ターゲットソーシャルユーザセットとソーシャル関係を有する少なくとも1つのソーシャルユーザセットの信用スコア、および少なくとも1つのソーシャルユーザセットとターゲットソーシャルユーザセットとの間のソーシャル関係に従って、ソーシャルユーザセットの信用スコアを最適化および反復してもよい。特定の反復手順を、図3に示すことができ、詳細には、ソーシャルユーザセットの信用スコアを最適化および反復し、各反復において、複数のソーシャルユーザセットの各々をターゲットソーシャルユーザセットとして別個に使用し、少なくとも1つのソーシャルユーザセットとターゲットユーザセットとの間のソーシャル重みおよび対応するソーシャルユーザセットの信用スコアに従って、ターゲットソーシャルユーザセットの信用スコアを最適化および調整し、ソーシャルユーザセットの取得された信用スコアが最適化および調整によって取得された信用スコアとなるように、この反復における複数のソーシャルユーザセットの各々の信用スコアと前の反復におけるソーシャルユーザセットの信用スコアとの差が第1のプリセット値未満となった後、反復を停止するステップを含む。たとえば、セットスコア最適化ユニット642は、以下の公式を使用することによって、複数のソーシャルユーザセットの各々の信用スコアを反復する:
【０１１９】
【数１９】
0006685541.tif 000020
【０１２０】
、ここで
【０１２１】
【数２０】
0006685541.tif 000021
【０１２２】
は、r回目の反復における第iのソーシャルユーザセットの信用スコアであり、
【０１２３】
【数２１】
0006685541.tif 000022
【０１２４】
は、(r-1)回目の反復における第iのソーシャルユーザセットとソーシャル関係を有するソーシャルユーザセットの信用スコアであり、ekiは、第iのソーシャルユーザセットとソーシャル関係を有するソーシャルユーザセットと第iのソーシャルユーザセットとの間のソーシャル重みであり、
【０１２５】
【数２２】
0006685541.tif 000023
【０１２６】
は、第iのソーシャルユーザセットとソーシャル関係を有する各ソーシャルユーザセットの信用スコア、および対応するソーシャルユーザセットと第iのソーシャルユーザセットとの間のソーシャル重みのすべての積の和を表し、αは、プリセットされた減衰係数である。
【０１２７】
上記の説明は、反復アルゴリズムの一例にすぎないことに留意されたい。本出願でのソーシャルユーザセットの信用スコアを反復するためのアルゴリズムは、このアルゴリズムに限定されると考えられるべきではなく、熱伝導ネットワーク反復アルゴリズムなどの他のアルゴリズムが適用可能であることがある。
【０１２８】
ユーザスコア訂正モジュール650が、ターゲットソーシャルユーザセットの最適化および調整された信用スコアに従って、ターゲットソーシャルユーザセット中のユーザの信用スコアを訂正するように構成される。
【０１２９】
詳細には、ユーザスコア訂正モジュール650は、ターゲットソーシャルユーザセット中のユーザの信用スコアを、対応するユーザの初期信用スコアとターゲットソーシャルユーザセットの最適化および調整された信用スコアとの間の任意の値に訂正してもよい。たとえば、ターゲットソーシャルユーザセット中のユーザの情報が欠落しているまたは誤っている場合、ユーザスコア訂正モジュール650は、ターゲットソーシャルユーザセットの最適化および調整された信用スコアを、ユーザの訂正された信用スコアとして使用してもよい。
【０１３０】
一実施形態では、ユーザスコア訂正モジュール650は、ターゲットソーシャルユーザセット中のユーザの信用スコアを、ターゲットソーシャルユーザセットの信用スコアを最適化および調整するための調整値に従って訂正してもよい。たとえば、ターゲットソーシャルユーザセット中のユーザの信用スコアは、以下の公式を使用することによって訂正される:
s'j = sj + (Qi - Si)、ここで、Qiは、ターゲットソーシャルユーザセットの最適化および調整された信用スコアであり、Siは、ターゲットソーシャルユーザセットの初期信用スコアであり、sjは、ターゲットソーシャルユーザセット中の第jのユーザの初期信用スコアであり、s'jは、ターゲットソーシャルユーザセット中の第jのユーザの訂正された信用スコアである。
【０１３１】
ユーザスコア訂正モジュール650は、代替的に、ターゲットソーシャルユーザセット中のユーザの信用スコアの対応する比を、ターゲットソーシャルユーザセットの信用スコアを最適化および調整するための調整比に従って訂正してもよい。
【０１３２】
一実施形態では、ユーザの信用スコアのための最適化装置はさらに、
ターゲットユーザとターゲットソーシャルユーザセット中の他のユーザの各々との間のソーシャル関係、およびターゲットソーシャルユーザセット中の他のユーザの信用スコアに従って、ターゲットユーザの信用スコアを最適化および調整するように構成されたユーザスコア最適化モジュール660
を含んでもよい。
【０１３３】
下位層のアソシエーション中のユーザ間のソーシャル関係が、図2に示すソーシャル関係、たとえば、ソーシャルユーザセットA中のユーザa1、a2、およびa3の間のソーシャル関係の階層化処理によって取得される。一実施形態では、ユーザa1、a2、およびa3をソーシャルユーザセットAに分割する理由が、除外されてもよい。たとえば、ユーザa1、a2、およびa3は、この3人のユーザが参加する同じソーシャルグループに従って、ソーシャルユーザセットAに分割され、ユーザa1、a2、およびa3の間のソーシャル関係が考えられるとき、ユーザa1、a2、およびa3が同じソーシャルグループに参加するという情報が無視されてもよく、ユーザa1、a2、およびa3の間のソーシャル関係は、ファクタに基づいて、たとえば、この3人のユーザ間にソーシャルフレンド関係が確立されるかどうか、この3人のユーザが共通の関心を有するかどうか、この3人のユーザが同時にソーシャルイベントに参加するかどうか、またはこの3人のユーザが同じ地理的位置に位置しているかどうかに基づいて、決定されてもよい。
【０１３４】
同じソーシャルユーザセット中の2人のユーザがソーシャル関係を有する場合、ソーシャル関係を有する2人のユーザが互いに影響を及ぼすと考えられてもよく、またはソーシャル関係を有する2人のユーザの信用スコアが、互いの参照として使用されてもよい。したがって、ユーザスコア最適化モジュール660は、ターゲットユーザの信用スコアを、同じソーシャルユーザセットに属し、ターゲットユーザとソーシャル関係を有する別のユーザの信用スコアに従って、最適化および調整してもよく、それによって、ユーザの情報が不完全にまたは誤って収集されることによって引き起こされるターゲットユーザの不正確な信用スコアの問題を効果的に防ぐ。たとえば、ターゲットユーザとソーシャル関係を有する他のすべてのユーザの信用スコアの平均値が直接的に、ターゲットユーザの最適化および調整された信用スコアとして使用されるか、または、ターゲットユーザとソーシャル関係を有する他のすべてのユーザの信用スコアの平均値と、ターゲットユーザの初期信用スコアとの間の任意の値が、ターゲットユーザの最適化および調整された信用スコアとして使用される。
【０１３５】
次いで、一実施形態では、図8に示すように、ユーザスコア最適化モジュール660は、以下のユニットをさらに含んでもよい:
【０１３６】
ユーザ重み取得ユニット661が、ターゲットユーザとターゲットソーシャルユーザセット中のユーザとのソーシャル関係に従って、ターゲットソーシャルユーザセット中の他のユーザの各々とターゲットユーザとの間のソーシャル重みを決定するように構成される。
【０１３７】
ソーシャル重みは、2人のユーザ間のソーシャル関係の親密度を数量化した結果であってもよい。たとえば、2人のユーザ間のソーシャル関係の親密度は、2人のユーザの共通のソーシャルフレンドの数量、2人のユーザが一緒に参加するソーシャルグループ、2人のユーザが一緒に参加するソーシャルイベント、2人のユーザ間で発生するソーシャルイベントの頻度などを計算することによって数量化されて、2人のユーザ間のソーシャル重みを取得する。
【０１３８】
ユーザスコア最適化ユニット662は、ターゲットソーシャルユーザセット中の他のユーザの各々とターゲットユーザとの間のソーシャル重み、および対応するユーザの信用スコアに従って、ターゲットユーザの信用スコアを最適化および調整するように構成される。
【０１３９】
2人のユーザ間のソーシャル関係がより近い場合、2人のユーザの信用スコアが類似している確率はより高い。言い換えれば、ターゲットユーザの親密なユーザの信用スコアが、ターゲットユーザの信用スコアを反映する可能性がある。したがって、ターゲットユーザの信用スコアが最適化および調整されるとき、ターゲットユーザの親密なユーザの信用スコアのインパクトファクタ(ソーシャル重み)が、より大きい値に設定されてもよい。ユーザスコア最適化ユニット662は、ターゲットソーシャルユーザセット中の他のユーザの各々の信用スコア、およびユーザとターゲットユーザとの間のソーシャル重みに従って、ターゲットソーシャルユーザセットの信用スコアを最適化および調整し、たとえば、
【０１４０】
【数２３】
0006685541.tif 000024
【０１４１】
、ここで、qiは、ターゲットユーザの信用スコアであり、qkは、ターゲットユーザとソーシャル関係を有する第kのユーザの信用スコアであり、wkiは、第kのユーザとターゲットユーザとの間のソーシャル重みであり、
【０１４２】
【数２４】
0006685541.tif 000025
【０１４３】
は、ターゲットソーシャルユーザセット中にあって、ターゲットユーザとソーシャル関係を有する各ユーザの信用スコア、および対応するユーザとターゲットユーザとの間のソーシャル重みのすべての積の和を表す。この実装形態は、特に、新しいターゲットユーザがターゲットソーシャルユーザセットに追加されると同時に、他のユーザがすべて最適化および調整される状況に適用可能であって、ターゲットユーザのみが、別個に最適化および調整され、ターゲットソーシャルユーザセット中の他のユーザを再び最適化および調整することはない。
【０１４４】
別の実施形態では、ユーザスコア最適化ユニット662は、ソーシャルユーザセット中のユーザの信用スコア、およびソーシャルユーザセット中のユーザ間のソーシャル関係に従って、ソーシャルユーザセット中のユーザの信用スコアを最適化および反復してもよい。特定の反復手順を、図5に示すことができ、各反復において、ターゲットソーシャルユーザセット中の各ユーザをターゲットユーザとして別個に使用し、ターゲットソーシャルユーザセット中の他のユーザの各々とターゲットユーザとの間のソーシャル重みおよび対応するユーザの信用スコアに従って、ターゲットユーザの信用スコアを最適化および調整し、ユーザの取得された信用スコアが最適化および調整によって取得された信用スコアとなるように、この反復におけるターゲットソーシャルユーザセット中の各ユーザの信用スコアと前の反復におけるユーザの信用スコアとの差が第2のプリセット値未満となった後、反復を停止するステップを含んでもよい。たとえば、ユーザスコア最適化ユニット662は、以下の公式を使用することによって、ターゲットソーシャルユーザセット中のユーザの信用スコアを最適化および調整してもよい:
【０１４５】
【数２５】
0006685541.tif 000026
【０１４６】
、ここで
【０１４７】
【数２６】
0006685541.tif 000027
【０１４８】
は、r回目の反復における第iのユーザの信用スコアであり、
【０１４９】
【数２７】
0006685541.tif 000028
【０１５０】
は、(r-1)回目の反復におけるターゲットソーシャルユーザセット中の第iのユーザとソーシャル関係を有するユーザの信用スコアであり、wkiは、ターゲットソーシャルユーザセット中の第iのユーザとソーシャル関係を有するユーザと第iのユーザとの間のソーシャル重みであり、
【０１５１】
【数２８】
0006685541.tif 000029
【０１５２】
は、ターゲットソーシャルユーザセット中の第iのユーザとソーシャル関係を有する各ユーザの信用スコア、および対応するユーザと第iのユーザとの間のソーシャル重みのすべての積の和を表し、λは、プリセットされた減衰係数である。
【０１５３】
上記の説明は、反復アルゴリズムの一例にすぎないことに留意されたい。本出願でのソーシャルユーザセットの信用スコアを反復するためのアルゴリズムは、このアルゴリズムに限定されると考えられるべきではなく、熱伝導ネットワーク反復アルゴリズムなどの他のアルゴリズムが適用可能であることがある。
【０１５４】
本出願のこの実施形態では、装置は、情報プッシュモジュール670、およびサービス監視モジュール680のうちのいずれか1つまたは2つをさらに含んでもよく:
情報プッシュモジュール670は、ユーザのための製品情報を、対応するユーザの信用スコアに従ってプッシュする、すなわち、本出願の実装形態を使用することによって訂正または最適化されるユーザの信用スコアに従って対応するユーザのための製品情報をプッシュする、たとえば、金融製品情報または固定資産管理製品情報をプッシュするように構成され、
サービス監視モジュール680は、ユーザのデータサービスを、対応するユーザの信用スコアに従って監視および管理する、すなわち、本出願の実装形態を使用することによって訂正または最適化される対応するユーザの信用スコアに従ってユーザのデータサービスを監視および管理する、たとえば、対応するユーザのローンサービスに関するリスク管理を実行する、またはユーザの流動資金の管理に関して提案を行うように構成される。
【０１５５】
図9は、本出願の一実施形態による、ユーザの信用スコアのための最適化装置のハードウェア構造のブロック図である。装置は、プロセッサ901と、バス902と、メモリ903とを含んでもよい。プロセッサ901とメモリ903は、バス902を使用することによって相互接続される。
【０１５６】
メモリ903は、ユーザスコア取得モジュール610、セットスコア取得モジュール620、セット関係取得モジュール630、セットスコア最適化モジュール640、ユーザスコア訂正モジュール650、ユーザスコア最適化モジュール660、情報プッシュモジュール670、およびサービス監視モジュール680を記憶する。
【０１５７】
プロセッサ901によって実行されるとき、メモリ903に記憶されたモジュールによって実行される動作は、上記の実施形態の動作と同じであり、詳細についてここでは再び説明しない。
【０１５８】
この実施形態では、ユーザが属するソーシャルユーザセットの信用スコアを計算し、ソーシャルユーザセット間のソーシャル関係に従ってソーシャルユーザセットの信用スコアを最適化および調整した後、ユーザの信用スコアのための最適化装置は、ソーシャルユーザセットの最適化および調整された信用スコアに従って、ソーシャルユーザセット中のユーザの信用スコアを訂正し、ソーシャルユーザセットの情報を組み合わせてユーザの信用スコアを最適化するために、ソーシャルユーザセット中のユーザ間のソーシャル関係に従ってソーシャルユーザセット中のユーザの信用スコアを最適化および調整してもよい。ユーザの信用スコアの精度を効果的に上げることができるように、ユーザの信用スコアの計算は、もはやユーザの個人情報のみに従うものではない。
【０１５９】
実施形態の方法のプロセスの全部または一部は、関連するハードウェアに命令するコンピュータプログラムによって実装される場合があることを、当業者には理解されよう。プログラムは、コンピュータ可読記憶媒体に記憶されてもよい。プログラムが実行されるとき、実施形態の方法のプロセスは行われる。記憶媒体は、磁気ディスク、光ディスク、読取り専用メモリ(ROM)、ランダムアクセスメモリ(RAM)などであってもよい。
【０１６０】
上記で開示するものは、本出願の好ましい実施形態にすぎず、決して本出願の保護範囲を制限するよう意図されていない。したがって、本出願の特許請求の範囲に従って作成された等価な変形形態は、本出願の範囲内に入るものとする。
【符号の説明】
【０１６１】
610  ユーザスコア取得モジュール
620  セットスコア取得モジュール
630  セット関係取得モジュール
640  セットスコア最適化モジュール
641  セット重み取得ユニット
642  セットスコア最適化ユニット
650  ユーザスコア訂正モジュール
660  ユーザスコア最適化モジュール
661  ユーザ重み取得ユニット
662  ユーザスコア最適化ユニット
670  情報プッシュモジュール
680  サービス監視モジュール
901  プロセッサ
902  バス
903  メモリ
【図１】
0006685541.tif 000038
【図２】
0006685541.tif 000039
【図３】
0006685541.tif 000040
【図４】
0006685541.tif 000041
【図５】
0006685541.tif 000042
【図６】
0006685541.tif 000043
【図７】
0006685541.tif 000044
【図８】
0006685541.tif 000045
【図９】
0006685541.tif 000046